(57)【要約】【課題】  導線の間隔を一定に保つことにより、特性インピーダンスのばらつきを低減したコモンモードチョークコイルを提供する。【解決手段】  巻芯部３において第一側面３３と鍔部４の背面とが交わる部分付近は、その表面が第二側面３４方向に若干凹んだ第一切欠き３３ａが形成されている。第一切欠き３３ａと背面との連結部には第一角部が形成されており、第一側面３３と第一切欠き３３ａとの連結箇所には第二角部３３ｃが形成されている。第二側面３４にも同様の第二切欠き３４ａ、第三角部３４ｂ及び第四角部３４ｃが形成されている。第一導線６及び第二導線７は第一電極部８の継線箇所から第一切欠き３３ａに延び、第一角部及び第二角部３３ｃに沿って配置されて巻回されている。そして第二切欠き３４ａまで巻回されており、第四角部３４ｃ及び第三角部３３ｂに沿って配置されて第二電極部９に継線されている。【選択図】図１
2006261564.tif 000002
【特許請求の範囲】
【請求項１】
柱状の巻芯部と該巻芯部の両端に設けられた第一鍔部及び第二鍔部とを備えたコアと、該巻芯部の表面に巻回される第一導線及び第二導線と、該第一鍔部に設けられて該第一導線の一端が継線される第一電極及び該第一鍔部に設けられて該第二導線の一端が継線される第二電極と、該第二鍔部に設けられて該第二導線の他端が継線される第三電極及び該第二鍔部に設けられて該第一導線の他端が継線される第四電極とを備え、
該第一導線及び該第二導線の巻回方向を長さ方向とし、該第一電極と該第二電極とのそれぞれを互いに結ぶ方向を第一幅方向とし、該長さ方向と該第一幅方向とに直交する方向を第一厚さ方向とするとき、該巻芯部の該第一鍔部側において、該第一鍔部より延出された該第一導線及び該第二導線が巻回し始められている略該第一厚さ方向の側面であって該第一電極に近い側面には略該第一厚さ方向全体に亘って第一切欠きが形成され、該第一導線及び該第二導線は該第一切欠き内に並んで配置されていることを特徴とするコモンモードチョークコイル。
【請求項２】
該第一切欠きは、該巻芯部と該第一鍔部との連結部分に沿って形成されていることを特徴とする請求項１に記載のコモンモードチョークコイル。
【請求項３】
該第一切欠きには、該第一鍔部側の第一角部と反第一鍔部側の第二角部とが略第一厚さ方向に延びて提供され、該第一導線は、該第一電極から該第一角部に沿って配置され、該第二導線は該第二電極から該第二角部に沿って配線されていることを特徴とする請求項１又は請求項２のいずれかに記載のコモンモードチョークコイル。
【請求項４】
該巻芯部の該第二鍔部側であって、該第三電極と該第四電極とのそれぞれを互いに結ぶ方向を第二幅方向とし、該長さ方向と該第二幅方向とに直交する方向を第二厚さ方向と定義するとき、該第一導線及び該第二導線が巻回し終える略該第二厚さ方向の側面であって該第三電極に近い側面には、略該第二厚さ方向全体に亘って第二切欠きが形成され、該第一導線及び該第二導線は該第二切欠き内に並んで配置されていることを特徴とする請求項１から請求項３のいずれか一に記載のコモンモードチョークコイル。
【請求項５】
該第二切欠きは、該巻芯部と該第二鍔部との連結部分に沿って形成されていることを特徴とする請求項４に記載のコモンモードチョークコイル。
【請求項６】
該第二切欠きには、該第二鍔部側の第三角部と反第二鍔部側の第四角部とが略第二厚さ方向に延びて提供され、該第二導線は該第三角部に沿って配置されて該第三電極に継線され、該第一導線は該第四角部に沿って配置されて該第四電極に継線されていることを特徴とする請求項４又は請求項５に記載のコモンモードチョークコイル。
【請求項７】
該第一鍔部には、該第一電極の巻回方向直下流側に位置する第一掛止部と、該第一幅方向において該第一掛止部と離間し該第二電極の巻回方向直下流側に位置する第二掛止部とが設けられ、該第一電極から延出される該第一導線は該第一掛止部に掛止されて該第一角部に沿って配置され、該第二電極から延出される該第二導線は該第二掛止部に掛止されて該第二角部に沿って配置され、
該第二鍔部には、該第三電極の巻回方向直上流側に位置する第三掛止部と、該第二幅方向において該第三掛止部と離間し該第四電極の巻回方向直上流側に位置する第四掛止部とが設けられ、該第三角部から延出される該第二導線は該第三掛止部に掛止されて該第三電極に継線され、該第四角部から延出される該第一導線は該第四掛止部に掛止されて該第四電極に継線されることを特徴とする請求項６に記載のコモンモードチョークコイル。
【請求項８】
該巻芯部の表面には、複数の凸部が設けられ、該第一導線及び該第二導線は互いに離間しつつ隣り合う該凸部間を通過して巻回されていることを特徴とする請求項１から請求項７のいずれか一に記載のコモンモードチョークコイル。
【請求項９】
該第一導線及び該第二導線が該巻芯部に巻回された状態で、該第一導線と該第二導線との間隔が略均一であると共に、該第一導線及び該第二導線が該巻芯部に巻回される間隔が略均一であることを特徴とする請求項１から請求項８のいずれか一に記載のコモンモードチョークコイル。
【発明の詳細な説明】
【技術分野】
【０００１】
本発明はコモンモードチョークコイルに関する。
【背景技術】
【０００２】
近年、パソコン等における高速インターフェイスであるＵＳＢ２．０規格や、デジタルビデオ等のデジタル映像・音声入出力インターフェイスであるＨＤＭＩ規格では、高周波の伝送信号が用いられている。この伝送信号の高周波化に伴って、位相が１８０°異なる信号を二本の導線に流し、ノイズの影響を受け難くて信号のエラーが少ない差動伝送方式による信号の伝送が行われている。
【０００３】
しかし現実には、例えば二本の導線の通信特性の違いが原因となってコモンモードのノイズ電流が発生し、導線をアンテナとしてノイズを放射する場合があり、このノイズを低減するコモンモードチョークコイルとして、例えば特許文献１に示されるコイル部品が開示されている。
【０００４】
また、高周波の伝送信号を用いるインターフェイスに使用されるコイル部品では、その特性インピーダンスを決定するために、コイル部品のインダクタンスの他に線間容量が顕著に関係している。
【特許文献１】特開２００３−１３３１４８号公報
【発明の開示】
【発明が解決しようとする課題】
【０００５】
しかし、特許文献１に示されるコイル部品では、導線を巻芯部に巻回する際の位置決めとなる部分がないため、導線の巻回が均一にならず、線間容量にはばらつきが発生していた。よって、コイル部品の特性インピーダンスにもばらつきが生じていた。
【０００６】
このばらつきを低減するために、本発明の発明者は、線間容量が二本の導線の距離に応じて変化することを見出した。そこで、本発明は、導線の間隔を一定に保つことにより、特性インピーダンスのばらつきを低減したコモンモードチョークコイルを提供することを目的とする。
【課題を解決するための手段】
【０００７】
上記目的を達成するために、本発明は、柱状の巻芯部と巻芯部の両端に設けられた第一鍔部及び第二鍔部とを備えたコアと、巻芯部の表面に巻回される第一導線及び第二導線と、第一鍔部に設けられて第一導線の一端が継線される第一電極及び第一鍔部に設けられて第二導線の一端が継線される第二電極と、第二鍔部に設けられて第二導線の他端が継線される第三電極及び第二鍔部に設けられて第一導線の他端が継線される第四電極とを備え、第一導線及び第二導線の巻回方向を長さ方向とし、第一電極と第二電極とのそれぞれを互いに結ぶ方向を第一幅方向とし、長さ方向と第一幅方向とに直交する方向を第一厚さ方向とするとき、巻芯部の第一鍔部側において、第一鍔部より延出された第一導線及び第二導線が巻回し始められている略第一厚さ方向の側面であって第一電極に近い側面には略第一厚さ方向全体に亘って第一切欠きが形成され、第一導線及び第二導線は第一切欠き内に並んで配置されているコモンモードチョークコイルを提供する。
【０００８】
このような構成によると、巻芯部に巻回される導線の巻回開始位置を規定することができる。よって、巻回時に二本の導線の巻回位置がずれるのを防止し、巻回後に巻崩れが発生し難くなる。従って二本の導線間の距離の変化が起き難く、線間容量を一定に保つことができる。
【０００９】
上記構成のコモンモードチョークコイルにおいて、第一切欠きは、巻芯部と第一鍔部との連結部分に沿って形成されていることが望ましい。このような構成によると、巻芯部の第一鍔部側端部から導線を巻回することができ、巻芯部を有効に利用することができる。また第一鍔部と巻芯部との連結部分を第一切欠きの一部分とすることができるため、コアの形状を単純化することができ、コア成型が容易になる。
【００１０】
また第一切欠きには、第一鍔部側の第一角部と反第一鍔部側の第二角部とが略第一厚さ方向に延びて提供され、第一導線は、第一電極から第一角部に沿って配置され、第二導線は第二電極から第二角部に沿って配線されていることが好ましい。このような構成によると、二本の導線の配置をより正確にすることができ、より正確に線間容量を一定に保つことができる。
【００１１】
また巻芯部の第二鍔部側であって、第三電極と第四電極とのそれぞれを互いに結ぶ方向を第二幅方向とし、長さ方向と第二幅方向とに直交する方向を第二厚さ方向と定義するとき、第一導線及び第二導線が巻回し終える略第二厚さ方向の側面であって第三電極に近い側面には、略第二厚さ方向全体に亘って第二切欠きが形成され、第一導線及び第二導線は第二切欠き内に並んで配置されていることが好ましい。
【００１２】
このような構成によると、第二鍔部側巻芯部においても第一鍔部側巻芯部と同様な構成とすることができる。よってコアの長さ方向の向きに関係なくコモンモードチョークコイルを製造することができ、生産性を向上させることができる。
【００１３】
また第二切欠きは、巻芯部と第二鍔部との連結部分に沿って形成されていることが好ましい。このような構成によると、巻芯部の第二鍔部側端部まで導線を巻回することができ、巻芯部を更に有効利用することができる。
【００１４】
また第二切欠きには、第二鍔部側の第三角部と反第二鍔部側の第四角部とが略第二厚さ方向に延びて提供され、第二導線は第三角部に沿って配置されて第三電極に継線され、第一導線は第四角部に沿って配置されて第四電極に継線されていることが好ましい。このような構成によると、巻回開始位置と巻回終了位置との両位置で二本の導線の配置を正確にすることができ、更に正確に線間容量を一定に保つことができる。
【００１５】
また第一鍔部には、第一電極の巻回方向直下流側に位置する第一掛止部と、第一幅方向において第一掛止部と離間し第二電極の巻回方向直下流側に位置する第二掛止部とが設けられ、第一電極から延出される第一導線は第一掛止部に掛止されて第一角部に沿って配置され、第二電極から延出される第二導線は第二掛止部に掛止されて第二角部に沿って配置され、第二鍔部には、第三電極の巻回方向直上流側に位置する第三掛止部と、第二幅方向において第三掛止部と離間し第四電極の巻回方向直上流側に位置する第四掛止部とが設けられ、第三角部から延出される第二導線は第三掛止部に掛止されて第三電極に継線され、第四角部から延出される第一導線は第四掛止部に掛止されて第四電極に継線されることが好ましい。このような構成によると、電極から巻芯部へと延出される導線の位置をより正確に所定の位置に保つことができる。
【００１６】
また、巻芯部の表面には、複数の凸部が設けられ、第一導線及び第二導線は互いに離間しつつ隣り合う凸部間を通過して巻回されていることが好ましい。このような構成によると、導線を巻芯部に巻回する際に、隣り合う凸部の間に二本の導線の１ターン分を順次巻回することができ、導線の１ターン毎を凸部により区画することができる。よって導線の１ターン毎の距離を凸部により制御することができる。導線の１ターン毎の距離を制御できることにより、導線の１ターン毎の線間容量を制御することができる。
【００１７】
また第一導線及び第二導線が巻芯部に巻回された状態で、第一導線と第二導線との間隔が略均一であると共に、第一導線及び第二導線が巻芯部に巻回される間隔が略均一であることが好ましい。このような構成によると、線間容量が一定とすることができる。
【発明の効果】
【００１８】
本発明のコモンモードチョークコイルによれば、線間容量が一定となるため、特性インピーダンスのばらつきが低減されたコモンモードチョークコイルを提供することができる。
【発明を実施するための最良の形態】
【００１９】
本発明の実施の形態によるコイル部品について図１から図４を参照しながら説明する。図１に示されるコモンモードチョークコイル１は、ドラム型形状のコア２と、第一導線６及び第二導線７と、第一電極部８及び第二電極部９とから主に構成されている。
【００２０】
コア２は磁性体であって長手方向に直交する断面が略長方形の巻芯部３と、巻芯部３長手方向の一端と他端とに設けられた略同一形状の第一鍔部４及び第二鍔部５とから構成されている。また図２に示されるように、巻芯部３の長手方向であって第一導線６及び第二導線７の巻回方向をｘ軸方向、巻芯部の幅方向であって後述の第一電極８Ａと第二電極８Ｂとを互いに結ぶ方向をｙ軸方向（第一、第二幅方向）、及び図３に示されるように、巻芯部３の厚さ方向であってｘ軸方向、ｙ軸方向に直交する方向をｚ軸方向（第一、第二厚さ方向）と定義して説明する。
【００２１】
巻芯部３は、図２及び図３に示されるように、幅方向面である第一面３１と、第一面３１の反対面である第二面３２と、第一面３１と第二面３２との間に設けられた厚さ方向面である第一側面３３と第二側面３４と、から構成されている。また第一面３１と第二面３２とは、互いに略平行であり、第一側面３３と第二側面３４とも互いに略平行である。よって巻芯部３のｙ−ｚ平面断面は、略長方形となる。
【００２２】
図２及び図３に示されるように、第一側面３３の第一側面３３と後述の背面４２とが交わる部分付近は、略ｚ軸方向全体に亘ってその表面が第二側面３４方向に若干凹んだ第一切欠き３３ａが形成されている。第一切欠き３３ａと背面４２との連結部には第一角部３３ｂが提供されており、第一側面３３と第一切欠き３３ａとの連結箇所には第一切欠き３３ａと第一側面３３との段差である第二角部３３ｃが形成されている。図２に示されるように、第二側面３４の第二側面３４と後述の背面５２とが交わる部分付近にも、第一切欠き３３ａと同様の第二切欠き３４ａが形成されている。第二切欠き３４ａと背面５２との連結部には第三角部３４ｂが提供されており、第二側面３４と第二切欠き３４ａとの連結箇所には第二切欠き３４ａと第二側面３４との段差である第四角部３４ｃが形成されている。
【００２３】
図２及び図３に示されるように、第一面３１のｙ方向略中心には、ｘ軸方向に均等な間隔で整列した複数の第一凸部３１Ａ〜３１Ｄが設けられている。また第二面３２のｙ方向略中心にも、ｘ軸方向に均等な間隔で整列した複数の第二凹部３２Ａ〜３２Ｃが設けられている。これら第一凸部３１Ａ〜３１Ｄ及び第二凸部３２Ａ〜３２Ｃは、何れも、略同一形状で、基端側の断面積が先端側の断面積より大きくオーバーハングのない山形形状をなしており（図３）、その表面は巻芯部３の表面に対して斜面を形成している。
【００２４】
図３に示されるように、ｘ軸方向において、第二凸部３２Ａは、第一凸部３１Ａと第一凸部３１Ｂとの間の略中間位置になるように配置されている。また図２及び図４に示されるように、第一凸部３１Ａと第一凸部３１Ｂとの間が第一領域３Ａ、第二凸部３２Ａと第二凸部３２Ｂとの間が第二領域３Ｂ、第一凸部３１Ｂと第一凸部３１Ｃとの間が第三領域３Ｃ、第二凸部３２Ｂと第二凸部３２Ｃとの間が第四領域３Ｄ、及び第一凸部３１Ｃと第一凸部３１Ｄとの間が第五領域３Ｅと規定されている。
【００２５】
第一鍔部４は、図２及び図３に示されるように、ｘ軸方向に直交する正面４１及び背面４２と、ｙ軸方向に直交する第一側面４３及び第二側面４４と、ｚ軸方向に直交する頂面４５及び底面４６と、から規定される略直方体より構成されている。同様に第二鍔部５も正面５１及び背面５２と、ｙ軸方向に直交する第一側面５３及び第二側面５４と、ｚ軸方向に直交する頂面５５及び底面５６から規定される略直方体より構成されている。
【００２６】
図２に示されるように、頂面４５には、頂面４５におけるｘ軸方向の略中心位置から巻芯部３の方へ向かって傾斜する一対の第一溝部４５ａ、第二溝部４５ｂが形成されている。第一溝部４５ａと第二溝部４５ｂとは、頂面４５のｙ軸方向中心を通るｘ軸に対して対称な構成となっている。また頂面４５の第一溝部４５ａにより形成される段差であってｙ軸方向において第一側面３３に近い側の段差には第一掛止部４５Ａが規定されている。また第二溝部４５ｂと第一溝部４５ａとの間に形成される段差には第二掛止部４５Ｂが規定されている。
【００２７】
同様に第二鍔部５の頂面５５にも、頂面５５におけるｘ軸方向の略中心位置から巻芯部３の方へ向かって傾斜する一対の第三溝部５５ａ、第四溝部５５ｂが形成されており、第三溝部５５ａと第四溝部５５ｂとは、頂面５５のｙ軸方向中心を通るｘ軸に対して対称な構成となっている。また頂面５５の第三溝部５５ａにより形成される段差であってｙ軸方向において第二側面３４に近い側の段差には第三掛止部５５Ａが規定されている。また第四溝部５５ｂと第三溝部５５ａとの間に形成される段差には第四掛止部５５Ｂが規定されている。
【００２８】
第一電極部８は、ｙ軸方向に並んで第一側面４３側に第一電極８Ａ、第二側面４４側に第二電極８Ｂを有している。図１に示されるように、これら第一電極８Ａと第二電極８Ｂとは頂面４５と正面４１とに跨ってメッキにより形成されている。また頂面４５において、第一電極８Ａの一部は、第一溝部４５ａ内にも形成されており、同様に第二電極８Ｂの一部も第二溝部４５ｂ内に形成されている。第一電極部８の頂面４５部分が第一導線６及び第二導線７との継線部分となる。
【００２９】
図２に示されるように、第一電極部８と同様に第二電極部９は、ｙ軸方向に並んで第一側面５３側に第三電極９Ａ、第二側面５４側に第四電極９Ｂを有している。これら第三電極９Ａと第四電極９Ｂとは頂面５５と正面５１とに跨ってメッキにより形成されている。また頂面５５において、第三電極９Ａの一部は、第三溝部５５ａ内にも形成されており、同様に第四電極９Ｂの一部も第四溝部５５ｂ内に形成されている。第二電極部９の頂面５５部分が第一導線６及び第二導線７との継線部分となる。尚、第二鍔部５は第一鍔部４と略同じ形状であって巻芯部３を挟んで対称な形状に形成されているため、第一電極８Ａと第二電極８Ｂとを互いに結ぶ方向と、第三電極９Ａと第四電極９Ｂとを互いに結ぶ方向とは、略同じ方向になる。
【００３０】
図２に示されるように、第一導線６は、その一端６Ａが第一電極８Ａに継線されると共に第一溝部４５ａ内に配置されて第一掛止部４５Ａに掛止される。そして背面４２上に配置されて第一切欠き３３ａ側へ延出され、第一角部３３ｂに沿わせて第一切欠き３３ａ内に配置されて巻芯部３に巻回し始められる。
【００３１】
第二導線７は、その一端７Ａが第二電極８Ｂに継線されると共に第二溝部４５ｂに配置されて第二掛止部４５Ｂに掛止される。そして第一面３１の第一凸部３１Ａ近傍に沿って第一切欠き３３ａ側へ延出され、第二角部３３ｃに沿って第一切欠き３３ａ内に配置されて巻芯部３に巻回し始められる。第一導線６が第一角部３３ｂに沿って巻回され、第二導線７が第二角部３３ｃに沿って巻回されることにより、第一導線６及び第二導線７の巻回開始位置を正確に規定することができる。また第一掛止部４５Ａ、第二掛止部４５Ｂに掛止された後に第一導線６及び第二導線７が第一切欠き３３ａに配置されることにより、継線箇所から第一切欠き３３ａまでの間においても第一導線６及び第二導線７の配置を正確にすることができる。
【００３２】
図４に示されるように、第二角部３３ｃに沿って配置された第二導線７は、第二面３２表面であって第二凸部３２Ａの第一鍔部４側に沿って配線され、第二側面３４を介して第一面３１側に巻回される。更に図２に示されるように、第一側面３３側から巻回されてきた第二導線７は、第一面３１表面であって第一領域３Ａ内に延出され、第一凸部３１Ｂと当接するように配線されて、第一側面３３を介して第二面３２側に巻回される。
【００３３】
また図４に示されるように、第一角部３３ｂに沿って配置された後の第一導線６は、第二面３２表面に配線され、第二側面３４を介して第一面３１側に巻回される。更に図２に示されるように、第二側面３４側から巻回されてきた第一導線６は、第一面３１表面であって第一領域３Ａ内に延出され、第一凸部３１Ｂと当接するように配線されて、第二面３２側に巻回される。
【００３４】
第一凸部３１Ａと第一凸部３１Ｂとの間の間隔は一定の距離であり、第一凸部３１Ａと第一凸部３１Ｂとは、同じ形状であるため、第一領域３Ａ内での第一導線６と第二導線７との間の距離は、一定の距離に保たれる。
【００３５】
図４に示されるように、第一領域３Ａから第二側面３４を介して第二面３２にまで巻回された第二導線７は、第二面３２表面であって第二領域３Ｂ内に延出され、第二凸部３２Ｂに当接するように配線されて第二側面３４を介して第一面３１側に巻回される。また第一領域３Ａから第一側面３３を介して第二面３２にまで巻回された第一導線６も第二面３２表面であって第二領域３Ｂ内に延出され、第二凸部３２Ａに当接するように配線されて第二側面３４を介して第一面３１側に巻回される。
【００３６】
この第二領域３Ｂは、第二凸部３２Ａと第二凸部３２Ｂとの間の距離が第一凸部３１Ａと第一凸部３１Ｂとの間の距離と等しく、その形状は第一凸部３１Ａと同じ形状であるため、第一領域３Ａと略同形状である。よって第一導線６と第二導線７との間の距離も、第一領域３Ａにおける第一導線６と第二導線７との間の距離と同じになる。
【００３７】
同様に第三領域３Ｃ、第四領域３Ｄ、及び第五領域３Ｅも第一領域３Ａと略同じ形状であるため、第三領域３Ｃ、第四領域３Ｄ、及び第五領域３Ｅ内での第一導線６と第二導線７との距離も同値に保たれる。よって各領域内における第一導線６と第二導線７とは、巻芯部３に巻回される際に、ｘ方向における距離が一定に保たれ、いわゆるスペース巻きが形成される。
【００３８】
図２に示されるように、第一面３１上の第一領域３Ａと第三領域３Ｃと第五領域３Ｅとは、同形状の第一凸部３１Ｂ及び第一凸部３１Ｃとで区画されており、図４に示されるように、第二面３２上の第二領域３Ｂと第四領域３Ｄとは、第二凸部３２Ｂで区画されている。第一凸部３１Ａ〜３１Ｄと第二凸部３２Ａ〜３２Ｃとは全て略同形状であるため、隣り合う各領域間の距離も略等しくなる。
【００３９】
また各領域内において、第一導線６及び第二導線７は各領域を区画する凸部に当接して設けられているため、第一領域３Ａに配置される第一導線６及び第二導線７と第三領域３Ｃに配置される第一導線６及び第二導線７との間の距離と、第三領域３Ｃ配置される第一導線６及び第二導線７と第五領域３Ｅに配置される第一導線６及び第二導線７との間の距離とは略等しくなる。また第一領域３Ａに配置される第一導線６及び第二導線７と第三領域３Ｃに配置される第一導線６及び第二導線７との間の距離と、第二領域３Ｂに配置される第一導線６及び第二導線７と第四領域３Ｄに配置される第一導線６及び第二導線７との間の距離とも略等しくなる。
【００４０】
よって、第一導線６及び第二導線７が巻芯部３に巻回される際に、第一導線６及び第二導線７を一組とした１ターン毎の距離は、少なくとも第一領域３Ａから第五領域３Ｅまでの間で一定の値となる。
【００４１】
図４に示すように、第五領域３Ｅより延出された第二導線７は、第一側面３３を介して第二面３２側へ巻回され、第二面３２表面を第二切欠き３４ａ側に向けて延出され、第三角部３４ｂ位置に配置される。そして第二導線７は、第三角部３４ｂに沿って第二切欠き３４ａ内に配置され、図２に示されるように、背面５２上に配置されて第三掛止部５５Ａに掛止される。そして第三溝部５５ａ内に配置されて第三電極９Ａ側へ延出され、他端７Ｂが第三電極９Ａに継線される。
【００４２】
また図４に示すように、第五領域３Ｅより延出された第一導線６は、第一側面３３を介して第二面３２側へ巻回され、第二面３２表面の第二凸部３２Ｃの第二鍔部５側に沿って第二切欠き３４ａ側に向けて延出され、第三角部３４ｂ位置に配置される。そして第一導線６は、第二角部３４ｃに沿って第二切欠き３４ａ内に配置され、図２に示されるように、第一面３１の第一凸部３１Ｄに沿って配置されて、第四掛止部５５Ｂに掛止される。そして第四溝部５５ｂ内に配置されて第四電極９Ｂ側へ延出され、他端６Ｂが第四電極９Ｂに継線される。第一導線６が第四角部３４ｃに沿って巻回されて継線され、第二導線７が第三角部３４ｂに沿って巻回されて継線されることにより、第一導線６及び第二導線７の巻回終了位置を正確に規定することができる。また第二切欠き３４ａより延出された第一導線６及び第二導線７は、第四掛止部５５Ｂ及び第三掛止部５５Ａに掛止されてから継線されるため、継線箇所から第二切欠き３４ａまでの間においても第一導線６及び第二導線７の配置を正確にすることができる。
【００４３】
また、第一導線６及び第二導線７を巻芯部３に巻回する際に、例えば第一導線６が第一凸部３１Ａ上に巻回される場合がある。しかし、第一凸部３１Ａの表面は斜面であるため、第一導線６は第一凸部３１Ａの表面を滑り、第一凸部３１Ａと第一面３１とが交わる箇所である第一凸部３１Ａの麓に配置される。よって、僅かに第一凸部３１Ａ〜３１Ｄ及び第二凸部３２Ａ〜３２Ｃに掛かるように第一導線６及び第二導線７を巻芯部３に巻回することにより、第一凸部３１Ａ〜３１Ｄ及び第二凸部３２Ａ〜３２Ｃの麓に第一導線６及び第二導線７が正確に当接するように巻回することができる。
【００４４】
以上の構成によるコモンモードチョークコイル１では、巻芯部３への巻始め位置と巻終わり位置とを正確に規定することが可能となるため、各製品間の特性のばらつきを低減することができる。またコモンモードチョークコイル１は、第一鍔部４と第二鍔部５との形状が等しく、ｘ−ｙ平面上において巻芯部３の中心位置を中心軸として点対称な形状である。これによりコモンモードチョークコイル１の製造時に、ｘ軸方向の位置関係において、巻芯部３の両端に設けられた一対の鍔部は、何れの鍔部が第一鍔部４となっても良い。よって製造時においてコア２のｘ軸方向について整列させる必要が無くなるため、不要な手間が省略でき、生産性を向上させることができる。
【００４５】
コモンモードチョークコイル１の線間容量は、第一導線６と第二導線７との間の距離、及び第一導線６及び第二導線７の１ターン毎の距離に応じて変化するが、当該実施の形態のコモンモードチョークコイル１では、各製品間でこれらの距離が一定に保たれているため、線間容量が略一定のコモンモードチョークコイルを提供することができる。またコモンモードチョークコイルの特性インピーダンスは線間容量に応じて変化するが、第一導線６と第二導線７との間の距離及び第一導線６及び第二導線７の１ターン毎の距離が一定に保たれて各製品間の線間容量のばらつきを低減することができるため、各製品間で特性インピーダンスが一定のコモンモードチョークコイルを提供することができる。よって、各製品間における特性インピーダンスのばらつきが低減された、特定の周波数を好適に排除するコモンモードチョークコイルを提供することができる。
【００４６】
本発明によるコイル部品は、上述した実施の形態に限定されず、特許請求の範囲に記載した範囲で種々の変形や改良が可能である。例えば、凸部を設けない形状のコアを用いてもよい。この場合であっても少なくとも巻芯部の導線の巻始め位置と巻終わり位置とは正確に規定されるため、各製品間における特性のばらつきを低減することができる。また導線の巻始め位置と巻終わり位置とが切欠き内に有るため、巻始め位置と巻終わり位置とでの導線のずれが生じ難く、製品となった後であっても振動等の外因による導線のずれが生じることを抑制している。
【図面の簡単な説明】
【００４７】
【図１】本発明の実施の形態に係るコモンモードチョークコイルの斜視図。
【図２】本発明の実施の形態に係るコモンモードチョークコイルの平面図。
【図３】本発明の実施の形態に係るコモンモードチョークコイルの側面図。
【図４】本発明の実施の形態に係るコモンモードチョークコイルの底面図。
【符号の説明】
【００４８】
１・・コモンモードチョークコイル  ２・・コア  ３・・巻芯部
３Ａ〜３Ｅ・・第一領域〜第五領域  ３１・・第一面  ３１Ａ〜３１Ｄ・・第一凸部
３２・・第二面  ３２Ａ〜３２Ｃ・・第二凸部
３３・・第一側面  ３３ａ・・第一切欠き  ３３ｂ・・第一角部  ３３ｃ・・第二角部
３４・・第二側面  ３４ａ・・第二切欠き  ３４ｂ・・第三角部  ３４ｃ・・第四角部
４・・第一鍔部  ４１・・正面  ４２・・背面  ４３・・第一側面  ４４・・第二側面
４５・・頂面  ４５Ａ・・第一掛止部  ４５Ｂ・・第二掛止部  ４５ａ・・第一溝部
４５ｂ・・第二溝部  ４６・・底面
５・・第二鍔部  ５１・・正面  ５２・・背面  ５３・・第一側面  ５４・・第二側面
５５・・頂面  ５５Ａ・・第三掛止部  ５５Ｂ・・第四掛止部  ５５ａ・・第三溝部
５５ｂ・・第四溝部  ５６・・底面
６・・第一導線  ７・・第二導線  ８・・第一電極部  ８Ａ・・第一電極
８Ｂ・・第二電極  ９・・第二電極部  ９Ａ・・第三電極  ９Ｂ・・第四電極
【図１】
2006261564.tif 000003
【図２】
2006261564.tif 000004
【図３】
2006261564.tif 000005
【図４】
2006261564.tif 000006